(57)【特許請求の範囲】
【請求項１】
操作用ハンドル部にて回転駆動され、靴紐を巻き取るためのリールと、
前記リールの回転を規制するラチェット爪と、
前記リールを収納する略有底円筒体からなり、その内周面に前記ラチェット爪が係合する複数の歯からなる環状ギヤを形成したベース部材と、
を備えた靴紐巻取装置の取付構造であって、
前記ベース部材を直接上部外方から着脱可能に固定して内部に保持することができる略有底円筒状のカバー部と、
靴の形状に沿うように前記カバー部の周囲に膨出したフランジ部と、
を備えたベース部材取付用カバーを設け、
前記カバー部又は前記ベース部材は、前記ベース部材をカバー部に固定した状態でロックするロック機構を備えており、
当該ロック機構は、前記ベース部材を回動させてベース部材の外方への取り外しを規制するために、前記カバー部の周面及び前記ベース部材の周面に形成され互いに係合する抜け止め用の凹凸と、
当該抜け止め用の凹凸の係合状態を維持するために、前記カバー部の内底面及び前記ベース部材の下面に形成され互いに係合する回転止め用の凹凸と、
から構成されていることを特徴とする靴紐巻取装置の取付構造。
【請求項２】
前記回転止め用の凹凸は、ベース部材の外方からアクセスして係合状態を解除可能に構成されていることを特徴とする請求項１に記載の靴紐巻取装置の取付構造。
【請求項３】
操作用ハンドル部にて回転駆動され、靴紐を巻き取るためのリールと、前記リールの回転を規制するラチェット爪と、前記リールを収納する略有底円筒体からなり、その内周面に前記ラチェット爪が係合する複数の歯からなる環状ギヤを形成したベース部材と、を備えた靴紐巻取装置の取付構造であって、
前記ベース部材を直接上部外方から着脱可能に固定して内部に保持することができる略有底円筒状のカバー部と、靴の形状に沿うように前記カバー部の周囲に膨出したフランジ部と、を備えたベース部材取付用カバーを設け、
前記カバー部又は前記ベース部材は、前記ベース部材をカバー部に固定した状態でロックするロック機構を備えており、
さらに、前記カバー部は、円筒状の内面に開口する靴紐導入口を備えており、
当該靴紐導入口から前記フランジ部に沿って延びる筒状の靴紐ガイド部が、前記靴紐導入口付近において縮径されており、
当該靴紐ガイド部内に挿入される靴紐挿通用のチューブの先端が前記靴紐導入口付近まで導入されるようになっていることを特徴とする靴紐巻取装置の取付構造。
【請求項４】
操作用ハンドル部にて回転駆動され、靴紐を巻き取るためのリールと、前記リールの回転を規制するラチェット爪と、前記リールを収納する略有底円筒体からなり、その内周面に前記ラチェット爪が係合する複数の歯からなる環状ギヤを形成したベース部材と、を備えた靴紐巻取装置の取付構造であって、
前記ベース部材を直接上部外方から着脱可能に固定して内部に保持することができる略有底円筒状のカバー部と、靴の形状に沿うように前記カバー部の周囲に膨出したフランジ部と、を備えたベース部材取付用カバーを設け、
前記カバー部又は前記ベース部材は、前記ベース部材をカバー部に固定した状態でロックするロック機構を備えており、
さらに、前記ベース部材の外周面と前記カバー部の内周面との間には隙間が有り、前記カバー部が変形しても前記ベース部材が変形しないようになっていることを特徴とする靴紐巻取装置の取付構造。
【請求項５】
前記ベース部材の外周面と前記カバー部の内周面との間には隙間が有り、前記カバー部が変形しても前記ベース部材が変形しないようになっていることを特徴とする請求項１から３の何れか一項に記載の靴紐巻取装置の取付構造。
【請求項６】
前記フランジ部は、独立して変形可能な複数の部分から構成されていることを特徴とする請求項１から５の何れか一項に記載の靴紐巻取装置の取付構造。
【請求項７】
前記カバー部は、靴の形状に沿うように下面が湾曲形成されていることを特徴とする請求項１から６の何れか一項に記載の靴紐巻取装置の取付構造。
【発明の詳細な説明】
【技術分野】
【０００１】
本発明は、靴紐巻取装置の取付構造に関するものである。
【背景技術】
【０００２】
図９に示す靴紐巻取装置３００は、本件出願人が提案したものであって、操作用ハンドル部３０１にて回転駆動され、靴紐を巻き取るためのリール３０２と、当該リール３０２の回転を規制するラチェット爪３０３と、前記リール３０２を収納する略有底円筒体からなり、その内周面に前記ラチェット爪３０３が係合する複数の歯からなる環状ギヤを形成したベース部材３０４とからなる靴紐巻取システムを備えた靴紐巻取装置３００である。
この靴紐巻取装置３００の取付構造においては、前記ベース部材３０４の下部に一体成形したフランジ３０５を靴に直接縫い付けることで、靴紐巻取装置３００を靴に取り付けるようにしている（特許文献１、２）。
【０００３】
他の出願人による靴紐巻取システムを有する靴紐巻取装置の取付構造としては、特許文献３に記載されている発明がある。
この靴紐巻取装置においても、環状ギヤを形成したベース部材に一体成形したフランジを設け、そのフランジを靴に直接縫い付けることで、靴紐巻取装置を靴に取り付けている。
そして、本発明は、特に上記のような靴紐巻取システムを有する靴紐巻取装置の取付構造を改良した靴紐巻取装置の取付構造に関するものである。
【０００４】
一方、特許文献４に記載されている靴紐巻取装置は、上記のような靴紐巻取システムを採用しているものではなく、環状のラチェットに設けた歯と、環状のリールに設けた歯によってリールの回転方向を規制する構造を採用している。
【０００５】
特許文献５及び特許文献６に記載されている靴紐巻取装置は、環状ギヤとラチェット爪を備えているが、リール収納部を備えた部材を直接靴に取り付ける構造を採用している。
さらに、特許文献７に記載されている靴紐巻取装置は、上記のような靴紐巻取システムを採用しているものではなく、レバーアームに設けた爪によって円盤状のラチェット車輪の回転方向を規制する構造を採用している。
【先行技術文献】
【特許文献】
【０００６】
【特許文献１】特願２０１３−１２７５７４
【特許文献２】特願２０１３−１２７６１２
【特許文献３】特表２０１３−５２５００７号公報
【特許文献４】特開平７−２０８号公報
【特許文献５】特公平７−７３５２５号公報
【特許文献６】欧州特許公開０４１２２９０号公報
【特許文献７】特開平５−２１１９０６号公報
【発明の概要】
【発明が解決しようとする課題】
【０００７】
特許文献１〜３に記載されている上記の靴紐巻取装置の取付構造においては、下記１）〜５）のような課題がある。
１）環状ギヤを形成したベース部材に設けた樹脂製の軸に金属製の雄ネジを螺合して靴紐巻取システムを固定しているため、雄ネジの締めすぎや、雄ネジから加わる力によって軸の雌ネジが潰れてしまうと、軸と雄ネジとの固定状態が不完全となり、靴紐巻取システムが正常に作動しなくなったり、靴紐巻取システムが外れてしまう恐れがある。
２）環状ギヤが摩耗したり損傷した場合に、靴紐巻取装置を修理するには、靴に縫い付けられたベース部材を靴から外して交換する必要があり、これは靴の外皮を縫い直すことに繋がり、事実上困難であるか、又は過大な費用と手間がかかる作業が必要となる。
３）環状ギヤを形成したベース部材に靴から変形応力が加わると、環状ギヤが変形し、靴紐が緩んでしまったり、靴紐巻取装置が正常に作動しなくなる恐れがある。
このような障害を防ぐために、環状ギヤを形成したベース部材の剛性を高めることが行われるが、すると、ベース部材が大型化したり、重くなってしまい、靴の履き心地が悪くなるという問題も生じる。
４）靴紐巻取装置を取り付ける部分の靴の形状とベース部材の形状が一致していないと、履き心地が良くなかったり、靴に損傷が生じたりすることがある。
５）靴紐がベース部材と擦れ合って、靴紐が切れたり、ベース部材が損傷する恐れがある。
【０００８】
特許文献４に記載の靴紐巻取装置の取付構造においては、靴紐巻取装置の裏側からねじを螺合することでリールやラチェットなどの内部機構をベースプレートに取り付けているため、それらの内部機構に不具合が生じた場合には、靴紐巻取装置を全て靴から取り外す必要がある。
【０００９】
特許文献５及び特許文献６に記載の靴紐巻取装置の取付構造においては、靴紐巻取装置のハウジングを靴に形成した受入れリセス内に嵌め込むことで靴紐巻取装置を靴に固定しており、ハウジングの固定状態を強固にすると、受入れリセスから靴紐巻取装置を取り出すことが困難となり、修理や交換に支障を生じるという課題がある。
【００１０】
特許文献７に記載の靴紐巻取装置の取付構造においては、靴紐巻取装置を靴紐によって縛り付けるようにして靴に装着しているため、靴に対する靴紐巻取装置の装着状態が不安定であるという課題がある。
【００１１】
そこで、本発明の目的は、従来の靴紐巻取装置の取付構造における上記の課題を全て解決し、靴に対する靴紐巻取装置の取り付けが容易であり、しかもその取付状態が強固であり、かつ、靴紐巻取システムを安定して動作させることができ、靴紐巻取装置の不具合の発生を減少させることができる靴紐巻取装置の取付構造を提供することにある。
さらに、本発明の他の目的は、万が一、靴紐巻取装置に不具合が生じた場合、靴紐巻取システムを靴から簡単に取り外すことができ、また、交換対象部品を最小限にすることができ、メンテナンス作業の容易な靴紐巻取装置の取付構造を提供することにある。
【課題を解決するための手段】
【００１２】
本発明は、「操作用ハンドル部にて回転駆動され、靴紐を巻き取るためのリールと、
前記リールの回転を規制するラチェット爪と、前記リールを収納する略有底円筒体からなり、その内周面に前記ラチェット爪が係合する複数の歯からなる環状ギヤを形成したベース部材と、を備えた靴紐巻取装置の取付構造であって、前記ベース部材を直接上部外方から着脱可能に固定して内部に保持することができる略有底円筒状のカバー部と、靴の形状に沿うように前記カバー部の周囲に膨出したフランジ部と、を備えたベース部材取付用カバーを設けた靴紐巻取装置の取付構造。」を最も主要な特徴とするものである。
【００１３】
さらに、本発明の前記カバー部又は前記ベース部材は、前記ベース部材をカバー部に固定した状態でロックするロック機構を備えている。
そして、前記ベース部材を前記カバー部に固定した状態でロックする前記ロック機構は、当該ベース部材を回動させてベース部材の外方への取り外しを規制するために、前記カバー部の周面及び前記ベース部材の周面に形成され互いに係合する抜け止め用の凹凸と、当該抜け止め用の凹凸の係合状態を維持するために、前記カバー部の内底面及び前記ベース部材の下面に形成され互いに係合する回転止め用の凹凸と、から構成されているものであってもよい。
【００１４】
本発明の前記回転止め用の凹凸は、ベース部材の外方からアクセスして係合状態を解除可能に構成されているものであってもよい。
また、本発明の前記カバー部は、円筒状の内面に開口する靴紐導入口を備えており、当該靴紐導入口から前記フランジ部に沿って延びる筒状の靴紐ガイド部が、前記靴紐導入口付近において縮径されており、当該靴紐ガイド部内に挿入される靴紐挿通用のチューブの先端が前記靴紐導入口付近まで導入されるようになっているものであってもよい。
【００１５】
さらに、本発明の前記ベース部材の外周面と前記カバー部の内周面との間には隙間が有り、前記カバー部が変形しても前記ベース部材が変形しないようになっていることが好ましい。
本発明の前記フランジ部は、独立して変形可能な複数の部分から構成されているものであってもよい。
また、本発明の前記カバー部は、靴の形状に沿うように下面が湾曲形成されていることが好ましい。
【発明の効果】
【００１６】
上記のように構成した本発明の靴紐巻取装置の取付構造においては、ベース部材取付用カバーが靴に対して強固に固定されていても、操作用ハンドル部及びラチェット爪などからなる靴紐巻取システムをベース部材から簡単に取り外すことができるばかりか、ベース部材をもベース部材取付用カバーから簡単に取り外すことができ、それらの部品の修理及び交換を容易に行うことができる。
【００１７】
本発明の靴紐巻取装置の取付構造は、前記カバー部又は前記ベース部材が前記ベース部材をカバー部に固定した状態でロックするロック機構を備えているため、当該ベース部材とカバー部との固定状態を確実に維持することができ、また、ロックを解除することで、前記ベース部材をカバー部から簡単に取り外し可能とすることができる。
前記ベース部材を前記カバー部に固定した状態でロックする前記ロック機構を、当該ベース部材を回動させてベース部材の外方への取り外しを規制するために、前記カバー部の周面及び前記ベース部材の周面に形成され互いに係合する抜け止め用の凹凸と、当該抜け止め用の凹凸の係合状態を維持するために、前記カバー部の内底面及び前記ベース部材の下面に形成され互いに係合する回転止め用の凹凸と、から構成することにより、ベース部材を回動操作することで簡単にベース部材を外方へ取り外しできなくなるように規制することができる。
また、回転止め用の凹凸の係合を解除することで、ベース部材をカバー部から取り外すことができるようになる。
【００１８】
また、本発明の前記回転止め用の凹凸を、ベース部材の外方からアクセスして係合状態を解除可能に構成することで、ベース部材をカバー部から取り外す作業を簡単に行うことができる。
【００１９】
本発明の前記カバー部が、円筒状の内面に開口する靴紐導入口を備えており、当該靴紐導入口から前記フランジ部に沿って延びる筒状の靴紐ガイド部が、前記靴紐導入口付近において縮径されており、当該靴紐ガイド部内に挿入される靴紐挿通用のチューブの先端が前記靴紐導入口付近まで導入されるようになっているものとすることで、靴紐が前記靴紐導入口付近まで靴紐挿通用のチューブによって案内されることになり、ベース部材取付用カバー又はベース部材と靴紐が直接擦れ合うことを防止でき、靴紐の切断と、ベース部材取付用カバー及びベース部材の損傷を防止することができる。
【００２０】
さらに、本発明の前記ベース部材の外周面と前記カバー部の内周面との間に隙間を設けることで、前記カバー部が変形しても前記ベース部材が変形しないようにすることができ、靴紐巻取装置の正常な動作を確保することができる。また、これによりベース部材を薄く軽いものとすることもできる。
本発明の前記フランジ部を、独立して変形可能な複数の部分から構成することにより、靴の形状に合わせてベース部材取付用カバーを装着し易くすることができるばかりか、カバー部が歪むことによって靴紐巻取装置の正常な動作が妨げられることを防止することができる。
また、本発明の前記カバー部を、靴の形状に沿うように下面が湾曲形成されているものとすることで、靴の装着感を害することなく、靴紐巻取装置を靴に取り付けることができる。
【図面の簡単な説明】
【００２１】
【図１】図１は本発明を具体化した靴紐巻取装置の取付構造及び靴紐巻取システムを構成する各部品を示す図であって、（Ａ）は靴紐巻取装置の操作用ハンドル部及びリールなどを分解した状態を示す斜視図、（Ｂ）はベース部材の平面図、側面図及び断面図、（Ｃ）はベース部材取付用カバーの斜視図である。
【図２】図２は本発明の靴紐巻取装置の取付構造を具体化したベース部材取付用カバーを示す図であって、（Ａ）はベース部材取付用カバーの平面図、側面図及び断面図、（Ｂ）はベース部材取付用カバーの底面図及び断面図である。
【図３】図３は本発明の靴紐巻取装置の取付構造を具体化したベース部材を示す図であって、（Ａ）は平面図、側面図及び断面図、（Ｂ）は底面図、（Ｃ）は正面図、（Ｄ）は断面図である。
【図４】図４は本発明の靴紐巻取装置の取付構造を備えた靴のかかと部分を示し、（Ａ）は靴のかかと部分の斜視図、（Ｂ）は靴のかかと部分の内部構造を説明するための水平方向断面図である。
【図５】図５は本発明を具体化したベース部材取付用カバーにベース部材を装着する様子を（Ａ）〜（Ｄ）の順に示す斜視図、及び（Ｅ）において内部のラチェット爪の様子を示す平面図である。
【図６】図６は本発明を具体化したベース部材取付用カバーにベース部材を装着した様子を示す図であって、（Ａ）は平面図、（Ｂ）及び（Ｃ）は断面図である。
【図７】図７は本発明を具体化した靴紐巻取装置の取付構造において、リールを装着する様子を示す断面図である。
【図８】図８は本発明を具体化した靴紐巻取装置の取付構造によって、ラチェット爪及びハンドル部などを装着した様子を示す断面図であって、（Ａ）は靴紐を締め付けることができる状態を示し、（Ｂ）は靴紐を緩めることができる状態を示す図である。
【図９】図９は本発明による改良を加える前の靴紐巻取装置の取付構造を示す断面図であって、（Ａ）は靴紐を締め付けることができる状態を示し、（Ｂ）は靴紐を緩めることができる状態を示す図である。
【発明を実施するための形態】
【００２２】
本発明は、「操作用ハンドル部にて回転駆動され、靴紐を巻き取るためのリールと、前記リールの回転を規制するラチェット爪と、前記リールを収納する略有底円筒体からなり、その内周面に前記ラチェット爪が係合する複数の歯からなる環状ギヤを形成したベース部材と、を備えた靴紐巻取装置の取付構造であって、前記ベース部材を直接上部外方から着脱可能に固定して内部に保持することができる略有底円筒状のカバー部と、靴の形状に沿うように前記カバー部の周囲に膨出したフランジ部と、を備えたベース部材取付用カバーを設けた靴紐巻取装置の取付構造。」であって、以下において説明する実施形態などにより好適に具体化することができる。
【００２３】
以下、本発明の靴紐巻取装置の取付構造を、図４（Ａ）に示すように、運動靴又はゴルフシューズといった靴Ｓのかかと部分に靴紐巻取装置１を取り付ける際に具体化した一実施形態について説明する。
この靴紐巻取装置１は、樹脂被覆された金属製のワイヤーからなる靴紐２によって靴Ｓの甲部及び履き口部周囲を締め付けることができるようになっている。
【００２４】
図１に示すように、靴紐巻取装置１は、下記において説明する環状ギヤ３４を備えたベース部材３と、前記靴紐２を巻き取るためのリール４と、リール４の回転及び停止を制御するための４本のラチェット爪５１を備えたストッパー部材５と、前記リール４を回転駆動するための操作用ハンドル部６と、当該操作用ハンドル部６と前記ストッパー部材５とを前記ベース部材３に装着するために前記ベース部材３に対して回転自在に固定される軸部材７と、当該軸部材７にて一端部が軸支されたバネ部材８などからなる靴紐巻取システムを備えている。
【００２５】
前記ベース部材３は、全体が略有底円筒状に形成された有底円筒体３１からなり、内部に前記リール４を収納するためのリール収納部３２を備え、当該リール収納部３２は、その底部中央に前記リール４を軸支するための回転軸３３が突設されている。
そして、前記ベース部材３は、前記有底円筒体３１の上部内周面に前記ラチェット爪５１が係合する複数の歯からなる環状ギヤ３４が形成されている。
【００２６】
この環状ギヤ３４は、略四角形状の前記ストッパー部材５に形成した細長い板状のラチェット爪５１と協働してラチェット機構を構成し、靴紐２を巻き付ける方向（図５（Ｅ）における時計回り方向である正回転）にのみ前記ラチェット爪５１が移動できるように、断面が「のこぎり歯」状に形成されている。
【００２７】
さらに、前記ベース部材３には、前記リール収納部３２の底部から側部において開口する靴紐引出口３５が互いに１８０度離間して各１ヶ所形成され、前記リール４に巻き付けられる靴紐２を前記リール収納部３２内へ導き入れることができるようになっている。
【００２８】
前記ベース部材３は、ベース部材取付用カバー９によって靴Ｓのかかと部分に装着されるようになっており、当該ベース部材取付用カバー９は、前記ベース部材３を直接上部外方から着脱可能に固定して内部に保持することができる略有底円筒状のカバー部９１と、靴の形状に沿うように前記カバー部９１の周囲に薄く膨出したフランジ部９２とを備えている。
そして、薄板状のフランジ部９２が前記靴Ｓに縫い付け固定されることで靴紐巻取装置１を靴Ｓに対して強固に固定することができるものである。
【００２９】
本実施例において、前記ベース部材３の外周面と、前記カバー部９１の内周面との間には、０．５〜１．０ｍｍ程度の隙間が形成されており、前記カバー部９１の変形が直接ベース部材３に及ばないようにしてある。
従って、カバー部９１やベース部材３を薄く軽いものとしても、靴紐巻取装置１を安定して動作させることができるばかりか、靴Ｓに靴紐巻取装置１を装着した場合におけるゴツゴツした違和感を解消することもできる。
なお、前記カバー部９１の裏面及び前記フランジ部９２の裏面は、靴Ｓのかかと部分の形状に沿うように、ほぼ球面に沿うように湾曲形成されている。
また、本実施例において、前記カバー部９１の高さは、前記リール４の厚さと同程度、即ち、前記ベース部材３の下側を約半分程度覆う高さに設定してある。
【００３０】
前記フランジ部９２は、スリット９２ａによって全体が花弁状に分割されるように形成されており、花弁状の各部分は、複数の独立して変形し易い構造になっている。
これにより、ベース部材取付用カバー９が取り付けられている靴Ｓの各部の形状に合致するように変形して取り付けを行い易いばかりか、靴Ｓが使用の際に変形することにも対応して形状が追従し易く、靴紐巻取装置１を装着したことによる違和感を低減できる。
また、前記フランジ部９２の花弁状の各部分が独立して変形することで、靴Ｓが変形した際にカバー部９１まで変形してしまうことを防止する効果を得ることができる。
【００３１】
さらに、本実施形態において、前記カバー部９１及び前記ベース部材３は、前記ベース部材３を前記カバー部９１に固定した状態でロックするロック機構を備えている。
このロック機構は、抜け止め用の凹凸としての下記（ｉ）及び（ｉｉ）に記載されている構成と、回転止め用の凹凸としての下記（ｉｉｉ）及び（ｉｖ）に記載されている構成から構成されている。
（ｉ）前記ベース部材３を回動させることでベース部材３の外方への取り外しを規制するために、前記カバー部９１の内周面に沿って突出形成された抜け止め用の突条９３。
この抜け止め用の突条９３は、前記カバー部９１の内底面と平行状であって、互いに１８０度離間した位置にて各１個形成されている。
（ｉｉ）前記ベース部材３を回動させることでベース部材３の外方への取り外しを規制するために、前記ベース部材３の外周面に形成され前記抜け止め用の突条９３が係合する抜け止め用の凹溝３６。
この抜け止め用の凹溝３６は、前記ベース部材３の下面（外底面又は裏面）と平行状であって、互いに１８０度離間した位置にて各１個形成されている。
そして、前記抜け止め用の凹溝３６に係合した前記抜け止め用の突条９３は、抜け止め用の凹溝３６の末端（図３（Ｃ）に示す左側の端部）に当接し、前記ベース部材３のそれ以上の反時計回り方向への回動を止めるようになっている（図６（Ａ）に示す状態であって、「停止位置」という。）。
また、略有底円筒状に形成された前記ベース部材３を構成する有底円筒体３１は、前記抜け止め用の凹溝３６の右側の端部から前記靴紐引出口３５までの下部外周面部３１ａが、前記抜け止め用の突条９３を差し込むことができるスペースを得られるように縮径されている。
（ｉｉｉ）前記「停止位置」における前記抜け止め用の凹凸の係合状態を維持するために、前記カバー部９１の内底面に形成された板バネ状の回転止め用の突起９４。
この回転止め用の突起９４は、前記カバー部９１の内底面において互いに１８０度離間した位置にて各１個形成されており、かつ、先端側が上方に向かって徐々に起き上がって突出するように斜めに形成されている。
また、前記回転止め用の突起９４が斜めに形成されている向きは、１８０度反対方向となっている。
（ｉｖ）前記抜け止め用の凹凸の係合状態を維持するために、前記ベース部材３の下面（外底面）に形成され、前記「停止位置」において前記回転止め用の突起９４と係合する回転止め用の透孔３７。
この回転止め用の透孔３７は、前記ベース部材３の内底面において互いに１８０度離間した位置にて各１個形成されており、かつ、前記回転止め用の突起９４がフィットして嵌まり込むように徐々に深くなるように斜めに形成されている。
【００３２】
そして、前記「停止位置」において、回転止め用の突起９４が回転止め用の透孔３７に一旦嵌まり込むと、前記ベース部材３を外す方向（時計回り方向）への回動もできなくなる。
このように前記「停止位置」において、前記回転止め用の透孔３７に嵌まり込んだ回転止め用の突起９４を外すには、前記ベース部材３のリール収納部３２側から、即ち、ベース部材３の外方からアクセスして、前記２個の回転止め用の突起９４を同時に押さえ、前記ベース部材３を外す方向へ回せばよい。
本実施例において、この回転止め用の突起９４を同時に押さえる操作は、スパイク鋲を着脱する際に使用する互いに離間した２個の突起を有する金具（図示しない）を用いることができるように設定してある。
【００３３】
さらに、本実施例において、前記ベース部材３は、靴紐２が締められている時に反時計回り方向に付勢され、即ち、前記「停止位置」に止まる方向に付勢されており、靴紐巻取装置１の使用時において、前記ベース部材３が外れる方向に回動してしまうことはないようになっている。
また、この「停止位置」において、前記ベース部材３の前記靴紐引出口３５は、常に前記カバー部９１に形成された靴紐導入口９５と向き合って整合するようになっている。
【００３４】
前記ベース部材取付用カバー９の前記カバー部９１は、前記２個の抜け止め用の突条９３の間において、当該カバー部９１の円筒状の内面に開口する前記靴紐導入口９５を計２個備えている。
さらに、前記靴紐導入口９５から前記フランジ部９２に沿って延びる筒状の靴紐ガイド部９６は、前記靴紐導入口９５付近において内面が縮径されている。そして、当該靴紐ガイド部９６内に挿入される靴紐挿通用のチューブＴの先端が前記靴紐導入口９５付近まで導入され、靴紐挿通用のチューブＴの先端がそれ以上入り込まないようになっている。
【００３５】
前記リール４は、その中央部に軸受部４１を備えており、当該軸受部４１の内面側には、前記ベース部材３の前記回転軸３３が挿入され、リール収納部３２内にてリール４が回転可能となっている。
前記リール４の上側には、複数のフィン４２が形成されており、前記ストッパー部材５の下側に形成されたフィン５２と噛合することで、前記操作用ハンドル部６の回転を前記リール４に伝達できるようになっている。
【００３６】
前記ストッパー部材５は、その四隅に突設した取付用爪部５３が前記操作用ハンドル部６に透設した係合穴６１に係合することで、前記操作用ハンドル部６の内側（下側）に嵌合して前記操作用ハンドル部６と一体化するものであり、前記リール４と前記操作用ハンドル部６との間に介在して前記操作用ハンドル部６の回転を前記リール４に伝達できるロック状態と、前記リール４が自由に回転できるように前記操作用ハンドル部６から前記リール４を切り離した解除状態とを実現することができるようになっている。
【００３７】
前記軸部材７は、一体化した前記操作用ハンドル部６とストッパー部材５とを前記ベース部材３に対して回転自在に装着するために、ネジ７ａによって前記ベース部材３に固定されるものであって、一体化した前記操作用ハンドル部６とストッパー部材５とを前記ベース部材３に接近させたロック位置（図８（Ａ）参照）と、当該ベース部材３から離した解除位置（図８（Ｂ）参照）との間で移動可能な状態で保持し案内することができるようになっている。
【００３８】
前記軸部材７は、四角柱状に形成されており、その軸心方向と直交する方向にて当該軸部材の対向する２つの側部を切り欠いて形成した軸受部７１に対し、前記バネ部材８に形成した直線状の一端部（軸部８１）が挿入されることで、当該バネ部材８を回動可能に軸支するようになっている。
【００３９】
前記バネ部材８は、全体が略Ｕ字形に湾曲形成されており、湾曲した他端側のバネ部８２が、一体化した前記操作用ハンドル部６とストッパー部材５の内面に設けた係止部６２に当接するようになっている。
【００４０】
前記バネ部材８の他端部（バネ部８２）が当接する前記係止部６２は、前記操作用ハンドル部６とストッパー部材５の境界部分に楔状に形成したバネ収納空間の外端最狭部に設けられている。
また、前記操作用ハンドル部６の上側には、円盤状のキャップ１０が嵌合して靴紐巻取装置１の内部にゴミなどが入り込まないようになっている。
【００４１】
前記キャップ１０の中央部には透孔１１が形成されており、この透孔１１を介して前記キャップ１０の内側（下側）の前記ネジ７ａを工具１００にて操作してベース部材３から操作用ハンドル部６、軸部材７及びリール４を取り外せるようになっている。
【００４２】
前記靴紐２としては、直径０．１１〜０．１３ｍｍのステンレス製の素線を４９本撚り合わせたワイヤーロープにスウェージングマシンにて加工を加え、ナイロン樹脂にて被覆したものを好適に用いることができる。
【００４３】
次に、上記にて説明した靴紐巻取装置１の各部品を組み付けて靴Ｓに取り付ける方法について説明する。
まず、靴Ｓの甲部に複数個の靴紐ガイド（図示しない）を取り付け、靴Ｓの履き口部の両サイドに靴紐挿通用のチューブＴを埋め込むように前後方向に配置する。その靴紐挿通用のチューブＴの後端部は、ライニング１２、カウンター１３などからなる靴Ｓのかかと部分まで届くように配置する。また、前記靴紐挿通用のチューブＴの内側には不織布製チューブカバー１４が置かれ、前記靴紐挿通用のチューブＴの外側にはＥＶＡからなるクッション材１５が配置される。
【００４４】
この状態で、前記ベース部材取付用カバー９を靴Ｓのかかと部分に接着剤にて仮止めする。このとき、前記靴紐挿通用のチューブＴの後端部は、前記フランジ部９２に沿って延びる筒状（又はトンネル状）の靴紐ガイド部９６の前記靴紐導入口９５の付近に形成された縮径部まで挿入される。
従って、前記靴紐導入口９５の付近において、前記靴紐２がベース部材取付用カバー９又はベース部材３と直接擦れ合うことを防止することができ、ベース部材取付用カバー９及びベース部材３の耐久性を向上させることができる。
【００４５】
次に、靴Ｓの外皮１６の上からベース部材取付用カバー９のフランジ部９２を糸にて縫い付けることにより、靴Ｓのかかと部分にベース部材取付用カバー９を強固に固定することができる。
【００４６】
上記のように、靴Ｓにベース部材取付用カバー９を固定するここまでの作業を済ませることにより、靴Ｓの外側から１）靴紐２を靴Ｓに装着すること、２）靴紐巻取システムを靴Ｓに取り付けること、３）靴紐巻取システムを靴Ｓから取り外すこと、さらには４）靴紐２を靴Ｓから取り外して交換することが可能となる。
【００４７】
次に、前記ベース部材取付用カバー９のカバー部９１にベース部材３を取り付けて外れないようにロックする（上記ロック機構に関する説明及び図５（Ａ）〜（Ｄ）参照）。
なお、図５（Ｂ）及び（Ｃ）は、前記抜け止め用の突条９３に、ベース部材３の下部外周面部３１ａを対応させている様子を示し、図５（Ｄ）は、ベース部材３を反時計回り方向に回動して、前記抜け止め用の突条９３を抜け止め用の凹溝３６の末端に当接させ、ロックを成立させた様子を示す（図６参照）。
【００４８】
なお、前記ロック機構を構成する各凹凸は、それぞれ前記カバー部９１と前記ベース部材３の中心に対して点対称となる位置に形成されているため、カバー部９１にベース部材３を取り付ける際には、ベース部材３の向きが１８０度異なっていても、前記ベース部材３の前記靴紐引出口３５が、常に前記カバー部９１の前記靴紐導入口９５と向き合うように整合してロックされるようになっている。
【００４９】
次に、ベース部材３の靴紐引出口３５→ベース部材取付用カバー９の靴紐導入口９５→靴紐ガイド部９６→靴紐挿通用のチューブＴ→靴Ｓの甲部に向き合うように複数個固定した靴紐ガイド（図示しない）→靴紐挿通用のチューブＴ→ベース部材取付用カバー９の靴紐ガイド部９６→靴紐導入口９５→ベース部材３の靴紐引出口３５の順にて靴紐２を挿通する。
これにより、靴紐２は、靴Ｓの甲部を縫い合わせるように配置され、靴Ｓの履き口部の両サイドを経て、図７（Ａ）に示すように靴Ｓのかかと部分から両端部が引き出される。
次に、靴紐２の両端部をリール４に固定し、そのリール４をベース部材３のリール収納部３２内に入れる。
【００５０】
一方、前記ストッパー部材５を前記操作用ハンドル部６の内側（下側）に嵌合することで、ストッパー部材５を操作用ハンドル部６と一体化させ、それらに前記軸部材７及び前記バネ部材８を組み付ける。
この場合、前記バネ部材８は、前記軸部材７が前記操作用ハンドル部６の中心に形成された略四角形状の軸穴６３とストッパー部材５の中心に形成された略四角形状の軸穴５４に挿入されるのであるが、当該バネ部材８のバネ部８２が操作用ハンドル部６の軸穴６３を拡げた拡張部から前記バネ収納空間に挿入され、さらに当該バネ部８２がバネ収納空間の内端側から外端最狭部側へ回動するように案内されて前記操作用ハンドル部６に組み付けられる。
なお、前記軸部材７の上端部に形成したフランジ７２が前記操作用ハンドル部６の軸穴６３の縁に形成した係止段部６４に当接するため、操作用ハンドル部６が軸部材７から外れることはない。
【００５１】
また、前記バネ部材８のバネ部８２がバネ収納空間の内端側から外端最狭部側へ回動するように案内されるのは、ストッパー部材５の軸穴５４の縁に上側（操作用ハンドル部側）を向いた斜面が形成されているためである。
【００５２】
上記手順にてストッパー部材５、操作用ハンドル部６、軸部材７及びバネ部材８を組み付けた後、ネジ７ａを軸部材７のネジ挿入孔７３に挿通し、軸部材７などをベース部材３に装着する。
【００５３】
最後にキャップ１０を操作用ハンドル部６に嵌め込むことで、靴紐巻取装置１を組み付けることができる。
なお、キャップ１０の中央部には透孔１１が形成されているため、先にキャップ１０を操作用ハンドル部６に嵌め込んでからネジ７ａを操作して軸部材７などをベース部材３に装着することもできる。
メンテナンス又は修理のために靴紐巻取装置１を分解する際には、キャップ１０の透孔１１から工具１００を挿入し、ネジ７ａを外すことで、組み付けられたストッパー部材５、操作用ハンドル部６、軸部材７及びバネ部材８をベース部材３からまとめて取り外すことができる。
【００５４】
メンテナンス又は修理が必要な場合としては、靴紐２が切断した場合、又はリール収納部３２内で靴紐２が絡まった場合が多いため、ストッパー部材５、操作用ハンドル部６、軸部材７及びバネ部材８が組み付けられたままベース部材３から取り外すことができることは、メンテナンス又は修理作業を効率化する上で極めて有効である。
【００５５】
なお、本実施形態の靴紐巻取装置１において各部材を構成する材料としては、強度、耐久性、弾力性などを考慮し、一例として以下のものを用いたが、これらの材料に限定されるものではない。
ベース部材３・・・ナイロン、又は、ポリカーボネート
ベース部材取付用カバー９・・・ナイロン
リール４、ストッパー部材５、軸部材７・・・ＰＯＭ（ポリアセタール）
操作用ハンドル部６・・・ナイロンとその周囲にＴＰＥ（熱可塑性エラストマー）
バネ部材８・・・ステンレス鋼
ネジ７ａ・・・炭素鋼
キャップ１０・・・ＡＢＳ樹脂
【００５６】
上記のように構成された靴紐巻取装置１の使用方法について説明する。
靴Ｓを履いた後に、靴紐２を締め付けるには、靴紐巻取装置１の操作用ハンドル部６を前記ベース部材３に接近させたロック位置にて操作用ハンドル部６を時計回り方向に回転操作し、靴紐２をリール４に巻き付ける。
この場合、ストッパー部材５のラチェット爪５１が環状ギヤ３４に当接することで、靴紐２が緩む方向にリール４が回転することはない。
【００５７】
次に、靴紐２の締め付けを緩めるには、靴紐巻取装置１の操作用ハンドル部６を上側へ引く。
この時、バネ部材８は圧縮され、当該バネ部材８が最も圧縮される反転位置を越えることにより、操作用ハンドル部６をベース部材３から離した解除位置に移動させる（図８（Ｂ）に示す状態）。
【００５８】
当該バネ部材８の他端部（バネ部８２）は、前記操作用ハンドル部６の内面に設けた係止部６２と常時当接しており、部品の摩耗を防ぐことができる。
【００５９】
また、前記バネ部材８がロック位置と解除位置との間で方向が明確に切り替わるため、操作性に優れるばかりか、前記操作用ハンドル部６の位置を把握することも容易である。
上記のように前記操作用ハンドル部６がロック位置から解除位置に移動すると、リール４のフィン４２とストッパー部材５のフィン５２との噛合が解除され、リール４が自由に回転できるようになり、靴紐２が緩められる。
【００６０】
逆に、前記操作用ハンドル部６を解除位置からロック位置に移動させるように下方へ押さえ付けると、前記バネ部材８が最も圧縮される反転位置を逆向きに越え、リール４のフィン４２とストッパー部材５のフィン５２とが再び噛合することとなるため、リール４に靴紐２を巻き取って靴紐２を締め付けることが可能となる。
【００６１】
なお、本明細書中において、「操作用ハンドル部」とは、リール４を回転駆動するための操作部として機能するものであれば特に形状が限定されるものではなく、多角形状のものであってもよい。
【００６２】
本発明は、主に靴Ｓの甲部を締め付けるための靴紐巻取装置１に限定されるものではなく、例えば、靴Ｓの履き口部の周囲のみを締め付けるというような、靴Ｓの異なる部分を締め付けるための靴紐巻取装置１の取付構造に具体化して実施してもよい。
【００６３】
また、靴紐巻取装置１を取り付ける位置は、靴Ｓのかかと部分に限られるものではなく、靴Ｓの甲部または側部（くるぶし付近）に靴紐巻取装置１を取り付ける際に使用する靴紐巻取装置１の取付構造に具体化して実施してもよい。
【００６４】
さらに、ベース部材３を回動させてベース部材３の外方への取り外しを規制するために、前記カバー部９１の内周面及び前記ベース部材３の外周面に形成され互いに係合する抜け止め用の凹凸としては、前記カバー部９１及びベース部材３の底面と水平な方向に形成された凹凸に代えて、前記カバー部９１の内周面及び前記ベース部材３の外周面にらせん状、又は斜め方向に複数形成された凹凸を用いて実施してもよい。
【００６５】
本発明は、その趣旨を逸脱しない範囲で、各部の構造、材質、形状、寸法、角度、設置位置、大きさ、数などが異なる靴紐巻取装置及びその取付構造において具体化して実施したり、上記実施例とは異なる靴紐巻取システムを備えた靴紐巻取装置及びその取付構造において具体化して実施してもよい。
【産業上の利用可能性】
【００６６】
本発明は、小型・軽量であって操作性及び履き心地に優れ、故障しにくく動作安定性および耐久性に優れる靴紐巻取装置を備えた靴を提供できるばかりか、組立の作業性及びメンテナンス性に優れ、運動用の靴ばかりでなく通常のビジネスシューズ、婦人用の靴又は子供用の靴など、多種多様な靴に手軽に用いることができる靴紐巻取装置の取付構造として好適に利用可能である。
【符号の説明】
【００６７】
１    靴紐巻取装置
２    靴紐
３    ベース部材
３１  有底円筒体
３１ａ  下部外周面部
３２  リール収納部
３３  回転軸
３４  環状ギヤ
３５  靴紐引出口
３６  抜け止め用の凹溝
３７  回転止め用の透孔
４    リール
４１  軸受部
４２  フィン
５    ストッパー部材
５１  ラチェット爪
５２  フィン
５３  取付用爪部
５４  軸穴
６    操作用ハンドル部
６１  係合穴
６２  係止部
６３  軸穴
６４  係止段部
７    軸部材
７１  軸受部
７２  フランジ
７３  ネジ挿入孔
７ａ  ネジ
８    バネ部材
８１  軸部（一端部）
８２  バネ部（他端部）
９    ベース部材取付用カバー
９１  カバー部
９２  フランジ部
９２ａ  スリット
９３  抜け止め用の突条
９４  回転止め用の突起
９５  靴紐導入口
９６  靴紐ガイド部
１０    キャップ
１１    透孔
１２    ライニング
１３    カウンター
１４    不織布製チューブカバー
１５    ＥＶＡからなるクッション材
１６    外皮
１００  工具
３００  靴紐巻取装置
３０１  操作用ハンドル部
３０２  リール
３０３  ラチェット爪
３０４  ベース部材
３０５  フランジ
Ｓ    靴
Ｔ    靴紐挿通用のチューブ
【図１】
0006406919.tif 000002
【図２】
0006406919.tif 000003
【図３】
0006406919.tif 000004
【図４】
0006406919.tif 000005
【図５】
0006406919.tif 000006
【図６】
0006406919.tif 000007
【図７】
0006406919.tif 000008
【図８】
0006406919.tif 000009
【図９】
0006406919.tif 000010